(57)【特許請求の範囲】
【請求項１】
底面、上面が正方形、前面、後面、側面、側面が縦長の長方形である四角柱形状であり、少なくとも、脚部と、該脚部に支持され、縁部が前記脚部よりも外方に突出している盆部とを備える三方、および該三方の前記盆部上に載置される鏡餅形パックからなる鏡餅セットを収納するための鏡餅用カートンであり、対向する一方の側面がオートボトム形式の閉鎖面で、前記閉鎖面（Ｌ）が、前記底面（１１）、前記前面（１２）、前記上面（１３）、前記後面（１４）のそれぞれの同側の辺に連設された左側小フラップ（１６）、左側大フラップ（１７）、左側小フラップ（１８）、左側大フラップ（１９）の一部が互いに重なり合って形成され、前記左側大フラップ（１９）の左辺の中心点の上方に切込みを入れて折り曲げることができる下舌片（Ａ）が設けられ、前記左側小フラップ（１８）の左辺となる台形の短辺に折れ線で折り曲げることができる上舌片（Ｂ）が設けられ、カートンを組み立てた時に、前記下舌片（Ａ）と前記上舌片（Ｂ）が、内側に直角に折り曲げられて前記鏡餅用カートン１内に収納した前記三方（４０）の前記盆部（４１）の縁部を上下から挟むように設けられていることを特徴とする鏡餅セットを収納する鏡餅用カートン。
【請求項２】
底面、上面が正方形、前面、後面、側面、側面が縦長の長方形である四角柱形状であり、少なくとも、脚部と、該脚部に支持され、縁部が前記脚部よりも外方に突出している盆部とを備える三方、および該三方の前記盆部上に載置される鏡餅形パックからなる鏡餅セットを収納するための鏡餅用カートンであり、対向する一方の側面がオートボトム形式の閉鎖面で他方が開閉面であり、前記開閉面（Ｒ）が、前記底面（１１）、前記前面（１２）、前記上面（１３）、前記後面（１４）のそれぞれの同側の辺に連設された右側大フラップ（２０）、右側小フラップ（２１）、右側小フラップ（２２）により閉鎖されて形成され、前記右側小フラップ（２１）に切り込みにより折れ線で折り曲げることができる上舌片（Ｃ）が設けられると共に前記右側小フラップ（２１）の右辺には折れ線を介して連設した押え片（２４）に下舌片（Ｄ）が設けられ、前記右側小フラップ（２２）に切り込みにより折れ線で折り曲げることができる上舌片（Ｅ）が設けられると共に前記右側小フラップ（２２）の右辺には折れ線を介して連設した押え片（２５）に下舌片（Ｆ）が設けられ、それぞれカートンを組み立てた時に、前記右側小フラップ（２１）と前記押え片（２４）および前記右側小フラップ（２２）と前記押え片（２５）がそれぞれ内側に直角に折り曲げられると共に前記上舌片（Ｃ）と前記下舌片（Ｄ）、前記上舌片（Ｅ）と前記下舌片（Ｆ）とがそれぞれ内側に直角に折り曲げられて前記鏡餅用カートン１内に収納した前記三方（４０）の前記盆部（４１）の縁部を前記上舌片（Ｃ）と前記下舌片（Ｄ）および前記上舌片（Ｅ）と前記下舌片（Ｆ）とでそれぞれ上下から挟むように設けられていることを特徴とする鏡餅セットを収納する鏡餅用カートン。
【発明の詳細な説明】
【技術分野】
【０００１】
この発明は、主に重ね鏡餅と三方とからなる鏡餅セットを包装する鏡餅用カートンに関するものである。
【背景技術】
【０００２】
従来より、正月など祝い事では重ね鏡餅が供えられることが多い。最近では、重ね鏡餅として、プラスチック製の重ね鏡餅容器に餅を柔らかい状態で封入した重ね鏡餅や、その重ね鏡餅容器の上に載せるプラスチック製の擬似橙等を鏡餅セットとして収納した鏡餅用カートンが販売されるようになっている。鏡餅を充填した合成樹脂製鏡餅パックと板紙製の三方（供え台）などからなる鏡餅セットが、一つの包装箱の中に一体に収納されている。すなわち、鏡餅セットは、少なくとも、鏡餅を充填した合成樹脂製鏡餅形パックと、板紙製の三方と、必要な飾りとを含み、三方は、鏡餅をのせる盆部（四方に折りまわした縁をつけた角盆）と、この盆部の下面に取付けられこれを支持する脚部（または胴もしくは台）とから構成される。
【０００３】
この鏡餅セットは、内部が見えるように一部に透明なプラスチックフィルム（シート）が貼り付けられた窓を有する鏡餅用カートンの中に収納された状態で商品として販売されることが多く、購買者が自宅で鏡餅を箱から取り出してすぐに飾れるように、組み立てられた形のままの鏡餅セットを、箱にそのまま入れて商品化されている。
【０００４】
しかしこの商品は、輸送過程での揺れにより、箱の中で三方から鏡餅がずれてしまう等、組み立てられた形が崩壊する可能性があり、そのため現状では、三方の下（窓からは見えないように三方の後側）に段ボールの支えを入れて、輸送過程での揺れでは、三方がぐらつかないようになり、鏡餅が安定することで、結果組み立てられた形を保つという構造が知られている。（特許文献１を参照）。
【先行技術文献】
【特許文献】
【０００５】
【特許文献１】特開２００１−２７８２５６号公報
【発明の概要】
【発明が解決しようとする課題】
【０００６】
しかしながら、段ボールの支えは結局ゴミにしかならないため、メーカーはこの段ボールの支えを排除し、それに代わる支える工夫が求められている。
【課題を解決するための手段】
【０００７】
上記課題を解決するためになされた本願請求項１の発明は、底面、上面が正方形、前面、後面、側面、側面が縦長の長方形である四角柱形状であり、少なくとも、脚部と、該脚部に支持され、縁部が前記脚部よりも外方に突出している盆部とを備える三方、および該三方の前記盆部上に載置される鏡餅形パックからなる鏡餅セットを収納するための鏡餅用カートンであり、対向する一方の側面がオートボトム形式の閉鎖面で、前記閉鎖面（Ｌ）が、前記底面（１１）、前記前面（１２）、前記上面（１３）、前記後面（１４）のそれぞれの同側の辺に連設された左側小フラップ（１６）、左側大フラップ（１７）、左側小フラップ（１８）、左側大フラップ（１９）の一部が互いに重なり合って形成され、前記左側大フラップ（１９）の左辺の中心点の上方に切込みを入れて折り曲げることができる下舌片（Ａ）が設けられ、前記左側小フラップ（１８）の左辺となる台形の短辺に折れ線で折り曲げることができる上舌片（Ｂ）が設けられ、カートンを組み立てた時に、前記下舌片（Ａ）と前記上舌片（Ｂ）が、内側に直角に折り曲げられて前記鏡餅用カートン１内に収納した前記三方（４０）の前記盆部（４１）の縁部を上下から挟むように設けられていることを特徴とする鏡餅セットを収納する鏡餅用カートンである。
【０００８】
また、本願請求項２の発明は、底面、上面が正方形、前面、後面、側面、側面が縦長の長方形である四角柱形状であり、少なくとも、脚部と、該脚部に支持され、縁部が前記脚部よりも外方に突出している盆部とを備える三方、および該三方の前記盆部上に載置される鏡餅形パックからなる鏡餅セットを収納するための鏡餅用カートンであり、対向する一方の側面がオートボトム形式の閉鎖面で他方が開閉面であり、前記開閉面（Ｒ）が、前記底面（１１）、前記前面（１２）、前記上面（１３）、前記後面（１４）のそれぞれの同側の辺に連設された右側大フラップ（２０）、右側小フラップ（２１）、右側小フラップ（２２）により閉鎖されて形成され、前記右側小フラップ（２１）に切り込みにより折れ線で折り曲げることができる上舌片（Ｃ）が設けられると共に前記右側小フラップ（２１）の右辺には折れ線を介して連設した押え片（２４）に下舌片（Ｄ）が設けられ、前記右側小フラップ（２２）に切り込みにより折れ線で折り曲げることができる上舌片（Ｅ）が設けられると共に前記右側小フラップ（２２）の右辺には折れ線を介して連設した押え片（２５）に下舌片（Ｆ）が設けられ、それぞれカートンを組み立てた時に、前記右側小フラップ（２１）と前記押え片（２４）および前記右側小フラップ（２２）と前記押え片（２５）がそれぞれ内側に直角に折り曲げられると共に前記上舌片（Ｃ）と前記下舌片（Ｄ）、前記上舌片（Ｅ）と前記下舌片（Ｆ）とがそれぞれ内側に直角に折り曲げられて前記鏡餅用カートン１内に収納した前記三方（４０）の前記盆部（４１）の縁部を前記上舌片（Ｃ）と前記下舌片（Ｄ）および前記上舌片（Ｅ）と前記下舌片（Ｆ）とでそれぞれ上下から挟むように設けられていることを特徴とする鏡餅セットを収納する鏡餅用カートンである。
【発明の効果】
【００１２】
本発明の鏡餅用カートンによれば、鏡餅が中に収納されている鏡餅形パックと三方が輸送工程等でぐらつくことを防ぎ、安定性を保つことができるという効果があり、また、別の部材による支え等を必要としないという効果がある。
かつ、外から確認できることができ、収納した鏡餅セットの見栄えをよくすることができ販促効果を高めることができ、かつ、簡単に、鏡餅セットを収納した鏡餅用カートンから簡単に取り出して組み立てることができるという効果を有している。
【図面の簡単な説明】
【００１３】
【図１】本発明の鏡餅用カートンに鏡餅セットを収納している状態を示す斜視図である。
【図２】本発明の鏡餅用カートンを組み立てて、開閉面を開放した状態を示す斜視図である。
【図３】本発明の鏡餅用カートンの閉鎖面を内側から見た図である。
【図４】本発明の鏡餅用カートンを組み立てる前のブランクを示す展開図である。
【図５】本発明の鏡餅用カートンのブランクと従来のカートンのブランクの閉鎖面を形成するブランクの比較を示す部分展開図である
【図６】従来の三方と三方に載せられる鏡餅形パックを示す斜視図である。
【図７】本発明の鏡餅用カートンのブランクの別の例を示す展開図である。
【発明を実施するための形態】
【００１４】
以下、本願発明を具体化した実施形態の鏡餅用カートンを図に基づき詳細に説明する。
【００１５】
図１は、鏡餅セット３０が収納された状態の鏡餅用カートン１を示す斜視図であり、また、図２は、鏡餅セット３０を収納する前の開閉面Ｒが開かれている状態の鏡餅用カートン１を示す部である。
【００１６】
本発明の鏡餅用カートン１に収納する鏡餅セット３０は、少なくとも、三方４０とこの三方４０上に載置された鏡餅形パック５０とからなり、板紙製の鏡餅用カートン１内に収納される。三方４０は鏡餅形パック５０を載置する盆部４１とこの盆部４１を支持し盆部４１よりも横方向寸法が小さな脚部４２とを備え、盆部４１は、この脚部４２に支持され、縁部が上記脚部４２よりも外方に突出している。必要に応じて飾り（前紙、四方紅、水引、末広、橙模型など）が鏡餅セット３０に含まれる。
【００１７】
鏡餅用カートン１（図２等を参照）は１枚の板紙（型紙）から作られ、底面１１、前面１２、上面１３、後面１４、左側面（閉鎖面Ｌ）、右側面（開閉面Ｒ）からなり、底面１１、上面１３が正方形、前面１２、後面１４、閉鎖面Ｌ、開閉面Ｒが縦長の長方形である四角柱形状である。
【００１８】
鏡餅用カートン１を前からみたときに右側面は、開閉する面となるので、開閉面Ｒとし、右側大フラップ２０、右側小フラップ２１、右側小フラップ２２で形成されている。
また、鏡餅用カートン１を前からみたときに左側面は、閉鎖する面となるので閉鎖面Ｌとし、左側小フラップ１６、左側大フラップ１７、左側小フラップ１８、左側大フラップ１９で形成され、鏡餅用カートン１を形成したときに、これらの４つのフラップの一部が互いに重なり合って形成される。
また、前面１２と上面１３の幅方向の中央に亘っては窓Ｗが設けられている。
【００１９】
本発明による鏡餅用カートン１においては、閉鎖面Ｌのフラップには組み立てた状態で、収納した三方４０の外方に突出している盆部４１の縁部を上下から挟むように保持するように、左側大フラップ１９には下舌片Ａ、左側小フラップ１８には上舌片Ｂが、鏡餅用カートン１の内方に向けて折り曲げられている。
【００２０】
図３は、鏡餅用カートン１の閉鎖面Ｌの内側から見た図であり、左側小フラップ１８には上舌片Ｂが設けられ、左側大フラップ１９には下舌片Ａが設けられている。また、中心点Ｚから下方にずれた点を噛み合わせ点Ｐで、左側大フラップ１７と左側大フラップ１９とが交叉して閉鎖面Ｌを形成している。そして、内側に直角に折り曲げた下舌片Ａと上舌片Ｂが三方４０の脚部４２よりも外方に突出している盆部４１の縁部を上下から挟むように保持する。閉鎖面Ｌにおいて、前面１２と後面１４の下辺の中点を結ぶ線を横軸Ｘとし、底面１１と上面１３の下辺の中点を結ぶ線を縦軸Ｙとしその交点を中心点Ｚとして、本発明のオートボトムカートン１では、この交叉点Ｐを縦軸Ｙ上で中心点Ｚからずらすことにより、オートボトムカートンの閉鎖面Ｌを強化している。
【００２１】
また、開閉面Ｒには、組み立てた状態で、図２に示すように、鏡餅用カートン１の内方に向けて収納した三方４０の外方に突出している盆部４１の縁部を上下から挟むように保持する上舌片Ｃ、下舌片Ｄ、上舌片Ｅ、下舌片Ｆが設けられている。上舌片Ｃは右側小フラップ２１に設けられ、上舌片Ｅは右側小フラップ２２に設けられ、下舌片Ｄは右側小フラップ２１に連設されている押え片２４に設けられ、下舌片Ｆは右側小フラップ２２に連設されている押え片２５に設けられている。
【００２２】
図４は、鏡餅用カートン１が組み立てられる前のブランクの展開図である。ブランク１０は、底面１１、前面１２、上面１３、後面１４、糊代片１５が折れ線ａ、ｂ、ｃ、ｄを介して順次連設されている。底面１１、上面１３は正方形であり、前面１２、後面１４は縦長の長方形である。
【００２３】
底面１１の左辺には、折れ線ｅを介して左側小フラップ１６が連設され、前面１２の左辺には、折れ線ｆを介して左側大フラップ１７が連設され、上面１３の左辺には、折れ線ｇを介して左側小フラップ１８が連設され、後面１４の左辺には、折れ線ｈを介して左側大フラップ１９が連設されている。左側大フラップ１７には、左側小フラップ１６側に斜め折れ線ｉを設けて貼着部１７ａとし、左側大フラップ１９には、左側小フラップ１８側に斜め折れ線ｊを設けて貼着部１９ａとしている。左側小フラップ１６、左側小フラップ１８は台形状であり、左側大フラップ１７、左側大フラップ１９は左辺の略中央部に凹部のある略四辺形状である。この４面の左側小フラップ１６、左側大フラップ１７、左側小フラップ１８、左側大フラップ１９を組み立てて、いわゆる、カートンにおいて、オートボトム型の底面を形成するのと同様にして、左側面である閉鎖面Ｌを形成する。
【００２４】
すなわち、この閉鎖面Ｌは、左側小フラップ１６、左側大フラップ１７、左側小フラップ１８、左側大フラップ１９を内側に折り畳んだ後、使用時に起こすことによって、左側小フラップ１６、左側大フラップ１７、左側小フラップ１８、左側大フラップ１９が噛み合って形成される。
【００２５】
図５−ａは、従来のオートボトム形式における左側フラップの形状を示し、図５−ｂは、本発明における左側フラップの形状を示している。本発明におけるブランク１０では、閉鎖面Ｌを形成する左側フラップの形状が、従来のオートボトム形式の左側フラップの形状とは異なっている。
【００２６】
本発明では、図５−ｂに示すように、左側大フラップ１９に下舌片、左側小フラップ１８に上舌片を設けている。この下舌片と上舌片は、カートンを組み立てた時に、鏡餅用カートン１内に収納した三方４０の盆部４１の縁部の上下から支えることができるような位置関係に設けている。
【００２７】
また、後面１４の左辺に連設した左側大フラップ１９には、従来の左側大フラップ１９′の左辺の中心点Ｚから上方に切り込みを入れて水平方向の折れ線ｋで折り曲げることができる下舌片を設け、切り込みの最奥部を噛み合わせ点Ｐとしている。また、上面１３に連設した左側小フラップ１８の左辺となる台形の短辺には折れ線ｌを介して上舌片を設けている。このように、噛み合わせ点Ｐを中心点Ｚからずらすことにより、カートンが潰れにくくなるという効果を持たせることができる。
【００２８】
底面１１の右辺には、折れ線ｍを介して右側大フラップ２０が連設され、前面１２の右辺には、折れ線ｎを介して右側小フラップ２１が連設され、後面１４の右辺には、折れ線ｏを介して右側小フラップ２２が連設されている。また、この右側大フラップ２０の右辺には折れ線ｐを介して差し込み片２３が設けられている。
【００２９】
また、右側小フラップ２１には、切り込みにより水平方向の折れ線ｒで折り曲げることができる上舌片Ｃが設けられ、右辺には、折れ線ｑを介して押え片２４が連設されている。その押え片２４の上辺には折れ線ｓを介して下舌片Ｄが設けられている。この上舌片Ｃと下舌片Ｄは、カートンを組み立てた時に、鏡餅用カートン１内に収納した三方４０の盆部４１の縁部を上下から支えることができるような位置関係に設けている。
【００３０】
同様に、右側小フラップ２２には、切り込みにより水平方向の折れ線ｕで折り曲げることができる上舌片Ｅが設けられ、右辺には、折れ線ｔを介して押え片２５が連設されている。その押え片２５の上辺には折れ線ｖを介して下舌片Ｆが設けられている。この上舌片Ｅと下舌片Ｆは、カートンを組み立てた時に、鏡餅用カートン１内に収納した三方４０の盆部４１の縁部を上下から支えることができるような位置関係に設けている。
【００３１】
さらに、前面１２と上面１３の幅方向の中央に亘って窓Ｗが設けられている。この窓Ｗは、その幅が全体の半分以上とすること好ましく、長さは前面１２の組立てたときに下部となる部分を除いて前面１２のほぼ全体にわたる程に長く、上面１３のほぼ半分くらいまで延びていることが好ましい。この窓Ｗは透明な合成樹脂シート（又はフィルム）で塞がれて窓を形成している。透明シートは、たとえばその周縁で窓Ｗの内面周縁に糊付けされる。透明シートの窓Ｗを通して鏡餅用カートン１内の鏡餅形パック５０および三方４０を見ることができる。
鏡餅用カートン１の表面には適切な模様、図柄、文字等が描かれるのはいうまでもない。
【００３２】
つぎに、図６を参照して三方（供え台）４０と鏡餅形パック５０について説明する。
【００３３】
三方４０は盆部４１と脚部４２とから構成される。盆部４１は上からみると正方形で、底面とその４つの辺から立ち上がりやや斜め外方に広がって形成された側面部とから構成されている。
【００３４】
三方４０の脚部４２は真上からみて正方形の角筒状で４つの側面部を有している。これらの側面部のうち前および左右の側面部にはそれぞれ穴（刳形）４３が形成されている。脚部４２は盆部４１の下面の中央に取付けられている。脚部４２の前後左右の長さ（幅）（横幅、横寸法）は盆部４１の前後左右の長さ（幅）（横寸法）よりもかなり小さい。したがって、盆部４１は脚部４２よりも前後左右に（外方に）かなり突出している。
【００３５】
一般には盆部４１、脚部４２とも板紙を折り曲げて形成される。盆部４１の底面にスリットがあけられ、脚部４２の上方向に突出状に形成された差込片部が上記スリットに入り、盆部４１と脚部４２とが結合される。このような三方４０の盆部４１内に四方紅７０が敷かれ、その上に鏡餅形パック５０がその下部突縁５２が四方紅７０の上に載るように置かれる。
【００３６】
鏡餅形パック５０は白色、白濁色または乳白色の合成樹脂により一体的に形成され、鏡餅の形状をもつ中空の鏡餅形部５１と、この鏡餅形部５１の下縁から外方に突出する下部突縁（フランジ）５２とを有する。下部突縁５２の外形は正方形であり、後述する三方４０の盆部４１内に入る大きさである。鏡餅形部５１内にはその下面開口から軟化状態にある餅が充填され硬化されるとともに下面開口がシート状シール材（図示略）によりシールされる。シール材は下部突縁５２の下面に溶着または接着される。鏡餅形部５１内に、硬化した円盤状、さいころ状、方形板状、その他の形状の複数個の餅、菓子、その他のものを入れてもよい。鏡餅形パックの大小２個の鏡餅間のくびれには水引６０が飾り輪ゴムにより掛けられている。
【００３７】
実際に、ブランク１０から鏡餅用カートン１を組み立てる方法を説明する。この閉鎖面Ｌは、左側小フラップ１６、左側大フラップ１７、左側小フラップ１８、左側大フラップ１９を内側に折り畳み、つぎに、左側大フラップ１７の貼着部１７ａと左側大フラップ１９の貼着部１９ａをそれぞれ外側に折り返し、左側小フラップル１６と左側大フラップ１７の貼着部１７ａ、左側小フラップ１８と左側大フラップ１９の貼着部１９ａ、底面１１の裏面と糊代片１５をそれぞれ貼り合せて折り畳んだ状態とする。使用時に起こすことによって、左側小フラップ１６、左側大フラップ１７、左側小フラップ１８、左側大フラップ１９が噛み合って閉鎖面Ｌが形成される。
【００３８】
つぎに、図２に示すように、右側面の開閉面Ｒが開かれた状態で組み立てられた鏡餅用カートン１内に、図６に示すように、鏡餅形パック５０を載置した三方４０が、開いた側面から収納される。この状態が図１に示されている。
【００３９】
まず、右側小フラップ２１に切り込みで設けられた上舌片Ｃが内側に直角に折り曲げられ、ついで、下舌片Ｄが押え片２４に対して直角に折り曲げられる。つぎに、右側小フラップ２１が前面１２に対して直角に折り曲げられ、そして、押え片２４が右側小フラップ２１に直角に鏡餅用カートン１の内方に折り曲げられる。このように、右側小フラップ２１と押え片２４が折り曲げられることによって、上舌片Ｃと下舌片Ｄが、鏡餅用カートン１内に収められた三方４０の盆部４１の外方に突出した部分の下面にほぼ接するように、三方４０の盆部４１の縁部の上下から支えることができる。
【００４０】
同様に、右側小フラップ２２に切り込みで設けられた上舌片Ｅが内側に直角に折り曲げられ、ついで、下舌片Ｆが押え片２５に対して直角に折り曲げられる。つぎに、右側小フラップ２２が前面１２に対して直角に折り曲げられ、そして、押え片２５が右側小フラップ２２に直角に鏡餅用カートン１の内方に折り曲げられる。このように、右側小フラップ２２と押え片２５が折り曲げられることによって、上舌片Ｅと下舌片Ｆが、鏡餅用カートン１内に収められた三方４０の盆部４１の外方に突出した部分の下面にほぼ接するように、三方４０の盆部４１の縁部の上下から支えることができる。
【００４１】
最後に、差し込み片２３が右側大フラップ２０に対して直角に折り曲げられ、右側大フラップ２０が底面１１に対して直角に折り曲げられて開放した右側面の開閉面Ｒが閉じられる。
【００４２】
このように、下舌片Ａ、上舌片Ｂ、上舌片Ｃ、下舌片Ｄ、上舌片Ｅ、下舌片Ｆは、鏡餅用カートン１内において、三方４０の側方に突出する盆部４１の縁部の上面と下面に面している。したがって、鏡餅用カートン１の梱包、輸送、陳列、配達等において、鏡餅用カートン１が多少傾いても、鏡餅用カートン１内で三方４０（盆部４１）が傾くこと、ぐらつくことが防止される。
ここで、下舌片、上舌片が三方４０の脚部４２よりも外方に突出している部分（縁部）を支えるとは、上下面に接する（当接する）ことのみならず、わずかのすき間をあけて臨む態様も含まれる。必ずしも上記下面に接しなくてもぐらつき防止の作用を達成できるからである。
【００４３】
なお、必要であれば末広等の飾りを鏡餅用カートン１内の後部の下部の空間に収納してもよい。
【００４４】
また、右側小フラップに設ける押え片はさまざまな形態で形成することが可能である。図７はその変形の一例のブランクを示す図である。開閉部Ｒにおいて、右側小フラップ２１に舌片を設けるのではなく、右側小フラップ２１の右辺に押え片２４ａ、２４ｂを連設し、その対向する一部分をそれぞれ上舌片Ｃ´、下舌片Ｄ´としている。この上舌片Ｃ´と下舌片Ｄ´は、カートンを組み立てた時に、鏡餅用カートン１内に収納した三方４０の盆部４１の縁部の上下から支えることができるような位置関係に設けている。また、右側小フラップ２２に舌片を設けるのではなく、右側小フラップ２２の右辺に押え片２５ａ、２５ｂを連設し、その対向する一部分をそれぞれ上舌片Ｅ´、下舌片Ｆ´としている。この上舌片Ｅ´と下舌片Ｆ´は、カートンを組み立てた時に、鏡餅用カートン１内に収納した三方４０の盆部４１の縁部の上下から支えることができるような位置関係に設けている。
【符号の説明】
【００４５】
１        鏡餅用カートン
１０      ブランク
１０´    ブランク（従来）
１０Ａ    ブランク（別の実施例）
１１      底面
１２      前面
１３      上面
１４      後面
１５      糊代片
１６      左側小フラップ
１７      左側大フラップ
１７ａ    貼着部
１８      左側小フラップ
１９      左側大フラップ
１９ａ    貼着部
１９´    左側大フラップ（従来）
２０      右側大フラップ
２１      右側小フラップ
２２      右側小フラップ
２３      差し込み片
２４      押え片
２５      押え片
３０      鏡餅セット
４０      三方（供え台）
４１      盆部
４２      脚部
４３      穴（刳形）
５０      鏡餅形パック
５１      鏡餅形部
５２      下部突縁（フランジ）
６０      水引
７０      四方紅
Ｌ        閉鎖面
Ｒ        開閉面
Ａ        下舌片
Ｂ        上舌片
Ｃ、Ｃ´  上舌片
Ｄ、Ｄ´  下舌片
Ｅ、Ｅ´  上舌片
Ｆ、Ｆ´  下舌片
Ｗ        窓
Ｐ        噛み合わせ点
Ｚ        中心点
ａ〜ｈ    折れ線
ｉ、ｊ    斜め折れ線
ｋ〜ｖ    折れ線
【図１】
0005636910.tif 000002
【図２】
0005636910.tif 000003
【図３】
0005636910.tif 000004
【図４】
0005636910.tif 000005
【図５】
0005636910.tif 000006
【図６】
0005636910.tif 000007
【図７】
0005636910.tif 000008